(57)【要約】【課題】温水洗浄装置のノズルを掃除部材で手軽に掃除することができると共に、この掃除部材自体の洗浄も容易に行うことができる温水洗浄ノズルの掃除装置と、この温水洗浄ノズルの掃除装置を有した温水洗浄装置を提供する。【解決手段】ノズル掃除を行う場合には、ノズル掃除装置３０をシャッタ装着部１７に装着し、シャワー洗浄スイッチ又はビデ洗浄スイッチを操作する。ノズル１１が洗浄装置３０のケース１１内の各進入スペース３２Ａ，３２Ｂ内に進入すると、ノズル１１の下面のラック１３に従動ピニオン３４Ａ，３４Ｂが噛合し、ノズル１１の進退に従動して従動ピニオン３４Ａ，３４Ｂが回転し、この回転が伝達部材を介して掃除部材３３に伝達され、掃除部材３３によって各ノズル１１が擦られてノズル掃除が行われる。【選択図】図１２
2009161936.tif 000002
【特許請求の範囲】
【請求項１】
温水洗浄ノズルが後部側から進入する進入スペースを有し、該進入スペースの少なくとも上側及び側方を囲むケースと、
該進入スペースに臨んで配置され、該ケースに対し回転可能に支持された掃除部材と、
該ケースに回転可能に支持されており、該進入スペース内を進退する温水洗浄ノズルと接触し、温水洗浄ノズルの進退に従って回転する従動回転体と、
該従動回転体の回転を前記掃除部材に伝達する伝達部材と、
該ケースの後端部に設けられた、温水洗浄装置のハウジングに着脱可能に係止される係止部と
を有する温水洗浄ノズルの掃除装置。
【請求項２】
請求項１において、前記従動回転体は、前記温水洗浄ノズルに設けられたラックに噛合するピニオンであることを特徴とする温水洗浄ノズルの掃除装置。
【請求項３】
請求項１又は２において、前記掃除部材は、温水洗浄ノズルの上面側を擦るように前記進入スペースの上側に配置されていることを特徴とする温水洗浄ノズルの掃除装置。
【請求項４】
請求項１ないし３のいずれか１項において、複数の掃除部材が前記温水洗浄ノズルの進退方向に配置位置を異ならせて並列設置されていることを特徴とする温水洗浄ノズルの掃除装置。
【請求項５】
請求項１ないし４のいずれか１項において、前記掃除部材は、前記温水洗浄ノズルの進退方向と交叉方向に延在した軸体と、該軸体の外周面に植設されたブラシとを有することを特徴とする温水洗浄ノズルの掃除装置。
【請求項６】
請求項１ないし５のいずれか１項において、前記伝達部材は、該掃除部材の回転方向が該掃除部材の下面側においてノズル前方となる回転のみを伝達するワンウェークラッチ機構を有することを特徴とする温水洗浄ノズルの掃除装置。
【請求項７】
前後進可能な温水洗浄ノズルと、
該温水洗浄ノズルを収容しており、前端部の開放口から該温水洗浄ノズルが前方へ進出するハウジングと、
該ハウジングの該開放口に設けられたシャッタ装着部に対し着脱可能に装着されており、前方へ進出する温水洗浄ノズルに押されて開放するシャッタと、
を備えてなる温水洗浄装置本体と、
請求項１ないし６のいずれか１項に記載の温水洗浄ノズルの掃除装置と
を有する温水洗浄装置であって、
該温水洗浄ノズルの掃除装置の前記係止部が該シャッタ装着部に対し係止可能である温水洗浄装置。
【発明の詳細な説明】
【技術分野】
【０００１】
本発明は、便器に設けられて人体臀部を温水洗浄する温水洗浄装置のノズルを掃除するための掃除装置と、この掃除装置を有する温水洗浄装置に関するものである。
【背景技術】
【０００２】
温水洗浄装置は、臀部下方にまで延出しうるノズルの先端から湯を上方に向って噴出し、人体臀部を洗浄するための装置である。
【０００３】
この温水洗浄装置のノズルの先端部は、汚物等で汚れることがある。例えば、温水噴出口付近が汚物や水アカ等で汚れることがある。
【０００４】
温水洗浄装置のノズルを掃除する場合、ノズルを引き出してスポンジや小型ブラシ等で汚れを取り除くことがあるが、手作業であるため、不便であると共に、忌避されがちである。
【０００５】
実開平６−８２９９０には、略筒状のケーシングと、該ケーシングの一端側の内面に設けられたブラシとを備えてなる掃除器具が記載されている。
【０００６】
この掃除器具を用いてノズルを掃除する場合、筒状ケーシング内に温水洗浄装置のノズルを挿入し、該ノズルの温水噴出口から温水を噴出させつつ、ケーシングの内面に設けられたブラシを該温水噴出口付近に当てて動かすようにする。これにより、ノズルから噴出する温水を飛散させることなく、容易にしかも衛生的にノズルの清掃を行なうことができる。また、温水を噴出させながら清掃できるため、汚物が温水噴出口に入り込むこともない。
【０００７】
しかしながら、この掃除器具の場合、掃除行為自体は人手に依るものであり、手間がかかると共に、忌避され易い。
【０００８】
特開２００７−２４７２８１の第６図には、便座ボックス内にノズルと接するブラシを設け、モータによって該ブラシを回転させてノズル掃除を行うことが記載されているが、ブラシ自体に汚れが蓄積するおそれがある。
【特許文献１】実開平６−８２９９０
【特許文献２】特開２００７−２４７２８１
【発明の開示】
【発明が解決しようとする課題】
【０００９】
本発明は、上記従来の問題点を解決し、温水洗浄装置のノズルを掃除部材で手軽に掃除することができると共に、この掃除部材自体の洗浄も容易に行うことができる温水洗浄ノズルの掃除装置と、この温水洗浄ノズルの掃除装置を有した温水洗浄装置を提供することを目的とする。
【課題を解決するための手段】
【００１０】
本発明の温水洗浄ノズルの掃除装置は、温水洗浄ノズルが後部側から進入する進入スペースを有し、該進入スペースの少なくとも上側及び側方を囲むケースと、該進入スペースに臨んで配置され、該ケースに対し回転可能に支持された掃除部材と、該ケースに回転可能に支持されており、該進入スペース内を進退する温水洗浄ノズルと接触し、温水洗浄ノズルの進退に従って回転する従動回転体と、該従動回転体の回転を前記掃除部材に伝達する伝達部材と、該ケースの後端部に設けられた、温水洗浄装置のハウジングに着脱可能に係止される係止部とを有するものである。
【００１１】
請求項２の温水洗浄ノズルの掃除装置は、請求項１において、前記従動回転体は、前記温水洗浄ノズルに設けられたラックに噛合するピニオンであることを特徴とするものである。
【００１２】
請求項３の温水洗浄ノズルの掃除装置は、請求項１又は２において、前記掃除部材は、温水洗浄ノズルの上面側を擦るように前記進入スペースの上側に配置されていることを特徴とするものである。
【００１３】
請求項４の温水洗浄ノズルの掃除装置は、請求項１ないし３のいずれか１項において、複数の掃除部材が前記温水洗浄ノズルの進退方向に配置位置を異ならせて並列設置されていることを特徴とするものである。
【００１４】
請求項５の温水洗浄ノズルの掃除装置は、請求項１ないし４のいずれか１項において、前記掃除部材は、前記温水洗浄ノズルの進退方向と交叉方向に延在した軸体と、該軸体の外周面に植設されたブラシとを有することを特徴とするものである。
【００１５】
請求項６の温水洗浄ノズルの掃除装置は、請求項１ないし５のいずれか１項において、前記伝達部材は、該掃除部材の回転方向が該掃除部材の下面側においてノズル前方となる回転のみを伝達するワンウェークラッチ機構を有することを特徴とするものである。
【００１６】
請求項７の温水洗浄装置は、前後進可能な温水洗浄ノズルと、該温水洗浄ノズルを収容しており、前端部の開放口から該温水洗浄ノズルが前方へ進出するハウジングと、該ハウジングの該開放口に設けられたシャッタ装着部に対し着脱可能に装着されており、前方へ進出する温水洗浄ノズルに押されて開放するシャッタと、を備えてなる温水洗浄装置本体と、請求項１ないし６のいずれか１項に記載の温水洗浄ノズルの掃除装置とを有する温水洗浄装置であって、該温水洗浄ノズルの掃除装置の前記係止部が該シャッタ装着部に対し係止可能であるものである。
【発明の効果】
【００１７】
本発明の温水洗浄ノズルの掃除装置は、温水洗浄装置のハウジングに取り付けることによりノズル掃除に使用される。このように掃除装置をハウジングに取り付けた状態でノズルを進退させると、ノズルの進退に従動して従動回転体が回転し、この回転が伝達部材を介して掃除部材に伝達され、掃除部材によってノズルが擦られてノズル掃除が行われる。
【００１８】
このように掃除装置をハウジングに取り付けることは手作業であるが、その後はノズルを進退させることによりノズルが掃除されるので、ノズル掃除が容易となる。
【００１９】
請求項２の通り、この従動回転体としてノズルのラックに噛合するピニオンを採用することにより、ノズルの進退のストロークによって確実に従動回転体を回転させることができる。
【００２０】
請求項３のように掃除部材をノズルの上側に配置することにより、汚れの付き易いノズル上面側を十分に掃除することができる。
【００２１】
請求項４のように複数の掃除部材を並列状に配置することにより、ノズル上面を十分に掃除することができる。
【００２２】
請求項５の態様では、掃除部材は、温水洗浄ノズルの進退方向と交叉方向に延在した軸体と、該軸体の外周面に植設されたブラシとを有する。この請求項５の掃除装置によると、ブラシをノズル長手方向に擦り付けるようにして回転させ、ノズル上面の汚れを十分に除去することができる。なお、本発明においては、掃除部材はブラシ以外の掃除手段、例えばスポンジなどでノズルを掃除するように構成されてもよい。
【００２３】
請求項６のように掃除部材の回転方向が該掃除部材の下面側においてノズル前方となるように構成することにより、掃除部材から水が前方に飛び散るようになり、便座ボックスなどに掛かることが防止される。
【発明を実施するための最良の形態】
【００２４】
以下に、図面を参照して本発明の実施の形態について説明する。
【００２５】
第１図は実施の形態に係る温水洗浄装置を備えた洋風便器の斜視図、第２図はこの温水洗浄装置の斜視図、第３図はこの温水洗浄装置の側面図、第４図はこの温水洗浄装置のノズル突出時の側面図、第５図はノズルの側面図、第６図はこの温水洗浄装置のシャッタ付近の斜視図、第７図はシャッタを取り外した状態を示す第６図と同様部分の斜視図、第８図は（ａ），（ｂ）はそれぞれシャッタ装着前後のシャッタ装着部付近の下面図である。
【００２６】
また、第９図は温水洗浄装置と温水洗浄ノズル掃除装置との分解斜視図、第１０図はこの掃除装置の温水洗浄装置への装着時の斜視図、第１１図はこの掃除装置とシャッタ装着部との下面図（分解図）、第１２図は第１１図のXII−XII線に沿う断面図、第１３図は第１２図のXIII−XIII線に沿う断面図である。
【００２７】
第１図の通り、洋風便器１の後部上面にタンクカバーユニット２が設置され、このタンクカバーユニット２の前部に便座３と便蓋４とが起倒方向回動可能に取り付けられている。このタンクカバーユニット２の外面を囲むタンクカバー（ロータンクカバー）２ａ内に温水洗浄装置１０が設置されている。この実施の形態では、該タンクカバー２ａの上部に手洗鉢２ｂが設けられているが、この手洗鉢２ｂは省略されてもよい。
【００２８】
図示は省略するが、該タンクカバー２ａ内には、便鉢１ａに洗浄水を供給するためのロータンクや、温水洗浄装置１０に温水を供給するヒータ付き温水タンク並びに給水ポンプ、電源基板、制御回路基板等も設置されている。なお、タンクカバー２ａ内には、この温水洗浄装置１０の他に、温風乾燥装置や脱臭装置等の各種トイレ機器が設置されてもよい。
【００２９】
該タンクカバー２ａの前部下端には、温水洗浄装置１０のノズル１１Ａ，１１Ｂ（以下、これらを総称してノズル１１ということがある。）を便鉢１ａ内へ突出させるため開口５が設けられている。
【００３０】
この実施の形態では、第２〜４図等に示すように、温水洗浄装置１０は、シャワー洗浄用及びビデ洗浄用の１対の前記ノズル１１Ａ，１１Ｂと、これらのノズル１１Ａ，１１Ｂの前後進を案内するノズルガイド１２と、各ノズル１１Ａ，１１Ｂに設けられたラック１３及び該ラック１３に噛合したピニオン１４を介して各ノズル１１Ａ，１１Ｂをそれぞれ前後進させるモータ１５と、ノズル１１Ａ，１１Ｂのいずれかに温水の供給先を切り替えるノズル切替弁１６と、該ノズルガイド１２に被着されるカバー（図示略）と、該ノズルガイド１２の前端部に着脱可能に装着されるシャッタ２０及びノズル掃除装置３０等を備えている。
【００３１】
第５図で示すように、各ノズル１１は棒状のものであり、その前端部の上面に温水噴出口１１ａが設けられ、後端側に給水ポート１１ｂが設けられている。この給水ポート１１ｂに、前記ノズル切替弁１６からの給水ホース１１ｃが接続されている。なお、この給水ホース１１ｃは可撓性を有する材質よりなり、各ノズル１１の進退に追従して柔軟に屈曲しうるようになっている。該給水ホース１１ｃ及び給水ポート１１ｂを介してノズル切替弁１６から各ノズル１１に温水が供給されると、この温水は、各ノズル１１の内部に形成された通水路（図示略）を通って温水噴出口１１ａに導かれ、該温水噴出口１１ａから上方へ向って噴出する。
【００３２】
各ノズル１１の下面に、各ノズル１１の長手方向に前記ラック１３が延設されている。このラック１３は、第５図の通り、噴出口１１ａよりも若干ノズル１１の後端側から該ノズル１１の後端近傍まで、所定長さにわたって延在している。
【００３３】
前記ノズルガイド１２の上面には、互いに略平行に延在する１対のガイド溝（図示略）が設けられている。該ノズルガイド１２は、このガイド溝の延在方向を略前後方向として前記タンクカバーユニット２の底部のベースプレート（図示略）上に固定設置されている。このノズルガイド１２の前端部は、タンクカバー２ａの内側から前記開口５に臨んでいる。
【００３４】
各ノズル１１は、それぞれ、このノズルガイド１２の各ガイド溝内に前後方向に進退可能に収容されている。前記カバーは、各ノズル１１を各ガイド溝に保持するようにノズルガイド１２に被着されている。即ち、この実施の形態では、このカバーとノズルガイド１２とによって温水洗浄装置本体のハウジングが構成されている。
【００３５】
第７図に示すように、この実施の形態では、ノズルガイド１２の前端部に開放口１２ａが設けられており、この開放口１２ａを通って各ノズル１１が前方へ進出しうるようになっている。第７図に示すように、この開放口１２ａの周縁部は略方形枠形となっている。この開放口１２ａの周縁部にはシャッタ装着部１７が設けられている。このシャッタ装着部１７の構成については後に詳述する。
【００３６】
この実施の形態では、各ガイド溝の前端側の底面に、それぞれ、各ノズル１１のラック１３を部分的にノズルガイド１２の下面側に露呈させる開口１２ｂ（第３図）が設けられており、この開口１２ｂを通して各ノズル１１のラック１３にそれぞれ前記ピニオン１４が噛合している。
【００３７】
シャッタ２０は、前記開口５を遮蔽するためのシャッタプレート２１と、該シャッタプレート２１を支持する支持体２２と、ノズルガイド１２の前端部のシャッタ装着部１７に着脱可能に係止される係止部２３等を備えている。
【００３８】
この実施の形態では、該支持体２２は、ノズルガイド１２の前端部と略相似形の方形枠形となっており、その内側は、各ノズル１１が通過するノズル通過孔２４Ａ，２４Ｂとなっている。第６図に示すように、この実施の形態では、該支持体２２の内側の左右方向の中央付近に仕切り壁２５が設けられており、この仕切り壁２５を挟んで一方がノズル１１Ａ専用のノズル通過孔２４Ａとなっており、他方がノズル１１Ｂ専用のノズル通過孔２４Ｂとなっている。
【００３９】
シャッタプレート２１は、第６，７図の通り、支持体２２の前面を覆うように配置され、その上端部が、枢軸２６を介して前後方向揺動可能に該支持体２２に支持されている。符号２２ａは、この枢軸２６を回転可能に保持した軸受けを示している。この実施の形態では、該シャッタプレート２１は、各ノズル１１が突出するときには、このノズル１１によって後ろから押されて開き出し、ノズル１１が後退すると、自重により閉じるように構成されている。
【００４０】
係止部２３は、この実施の形態では、支持体２２の下部の中央付近に配置されている。この実施の形態では、該係止部２３は、１対の弾性片２３ａと、各弾性片２３ａから突設された爪２３ｂと、該弾性片２３ａ，２３ａ同士を接近させるための摘み部２３ｃとを有している。
【００４１】
弾性片２３ａ，２３ａは、それぞれ略前後方向に延在しており、左右方向に間隔をあけて互いに対面するように配置されている。この実施の形態では、該弾性片２３ａ，２３ａは、後端部同士が略Ｕ字形に一体に連なっており、この弾性片２３ａ，２３ａの後端部の上縁が支持体２２の下面に一体的に連結されている。
【００４２】
爪２３ｂは、各弾性片２３ａの前後方向の中間付近から互いに反対方向へ突設されている。
【００４３】
また、摘み部２３ｃは、各弾性片２３ａの前端部から互いに反対方向へ突設されている。
【００４４】
この係止部２３は、摘み部２３ｃ，２３ｃが左右から押圧されることにより、弾性片２３ａ，２３ａ同士が弾性的に接近すると共に、該摘み部２３ｃ，２３ｃの押圧力が解除されると、該弾性片２３ａ，２３ａ同士がその弾性力により離反して元位置に復帰するように弾性変形可能となっている。
【００４５】
前記シャッタ装着部１７は、ノズルガイド１２の前端部の開放口１２ａの左右の側縁からそれぞれ前方へ延出した１対の係止片１７ａ，１７ａと、該開放口１２ａの下縁の左右方向の中央付近に設けられた、シャッタ２０の係止部２３が弾性的に係合可能な係合部１７ｂとを有している。
【００４６】
各係止片１７ａは、シャッタ２０の支持体２２の後端面をノズルガイド１２の前端面に突き合わせるようにして該支持体２２をノズルガイド１２に接近させたときに、それぞれ、該支持体２２のノズル通過孔２４Ａ，２４Ｂ内に入り込み、各ノズル通過孔２４Ａ，２４Ｂ内の前記仕切り壁２５と対向する側面に係合するように構成されている。この係止片１７ａ，１７ａにより、該支持体２２が上下方向及び左右方向に移動不能にノズルガイド１２の前端部に係止される。
【００４７】
係合部１７ｂは、前方に向って開放した略コ字形となっており、支持体２２の後端面をノズルガイド１２の前端面に突き合わせるようにして該支持体２２をノズルガイド１２に接近させたときに、前方から係止部２３がこの係合部１７ｂに内嵌しうるように構成されている。
【００４８】
この係合部１７ｂの左右の前方延出片１７ｃの前後方向の中間付近には、それぞれ、係止部２３の各爪２３ｂが係合する切欠部１７ｄが形成されている。係止部２３が前方からこの係合部１７ｂに内嵌し、各爪２３ｂが該切欠部１７ｄに弾性的に係合することにより、該係止部２３が係合部１７ｂから抜け出し不能となり、支持体２２がノズルガイド１２の前端部に連結される。
【００４９】
前記ノズル掃除装置３０は、内部に、各ノズル１１Ａ，１１Ｂがそれぞれ後部側から進入する進入スペース３２Ａ，３２Ｂを有するケース３１と、該進入スペース３２Ａ，３２Ｂに臨んで配置され、該ケース３１に対し回転可能に支持された掃除部材３３と、該ケース３１に回転可能に支持されており、各進入スペース３２Ａ，３２Ｂ内を進退する各ノズル１１Ａ，１１Ｂとそれぞれ接触し、各ノズル１１Ａ，１１Ｂの進退に従って回転する従動回転体としての従動ピニオン３４Ａ，３４Ｂと、各従動ピニオン３４Ａ，３４Ｂの回転を掃除部材３３に伝達する伝達部材と、ケース３１の後端部に設けられた、前記ノズルガイド１２のシャッタ装着部１７に着脱可能に係止される係止部２３等を有している。
【００５０】
該ケース３１は、この実施の形態では、各進入スペース３２Ａ，３２Ｂの上側を覆う天板部３１ａと、該天板部３１ａの左右の側縁にそれぞれ連なり、各進入スペース３２Ａ，３２Ｂの側方を囲む１対の側板部３１ｂ，３１ｂと、該天板部３１ａの左右方向の中央付近から下方に垂設されており、ケース３１内を進入スペース３２Ａと進入スペース３２Ｂとに仕切る仕切り壁３１ｃとを有している。即ち、この実施の形態では、各進入スペース３２Ａ，３２Ｂは、下方及び前後方向に開放したものとなっている。
【００５１】
ケース３１の後端部には、ノズルガイド１２への連結部３１ｄが設けられている。この連結部３１ｄは、前述のシャッタ２０の支持体２２と同様、ノズルガイド１２の前端部と略相似形の方形枠形となっている。前記天板部３１ａの後端はこの連結部３１ｄの上縁に連なり、各側板部３１ｂ，３１ｂの後端はこの連結部３１ｄの左右の側縁に連なっている。この連結部３１ｄの内側も仕切り壁３１ｃによって左右に仕切られており、この仕切り壁３１ｃを挟んで一方の開放口３１ｅ（第９図）が進入スペース３２Ａに連通し、他方の開放口３１ｆが進入スペース３２Ｂに連通している。
【００５２】
この連結部３１ｄの下縁の左右方向の中央付近に前記係止部２３が設けられている。この係止部２３の構成は、シャッタ２０の係止部２３と同様である。
【００５３】
この実施の形態では、該連結部３１ｄのシャッタ装着部１７への連結機構は、シャッタ２０の支持体２２の該シャッタ装着部１７への連結機構と同様である。即ち、ノズル掃除装置３０をノズルガイド１２の前端部に連結するに当たっては、該連結部３１ｄをノズルガイド１２の前端面に突き合わせるようにしてケース３１をノズルガイド１２に接近させ、該ノズルガイド１２の前端面の左右の側縁から前方に延出した係止片１７ａ，１７ａをそれぞれ該連結部３１ｄの開放口３１ｅ，３１ｆ内に入り込ませると共に、該ノズルガイド１２の前端面の下縁の係合部１７ｂに係止部２３を前方から内嵌させる。
【００５４】
これにより、係止片１７ａ，１７ａがそれぞれ開放口３１ｅ，３１ｆ内の前記仕切り壁３１ｃと対向する側面に係合し、ケース３１が上下方向及び左右方向に移動不能にノズルガイド１２の前端部に係止されると共に、係止部２３の各爪２３ｂが係合部１７ｂの各切欠部１７ｄに弾性的に係合して該係止部２３が係合部１７ｂから抜け出し不能となり、ケース３１がノズルガイド１２の前端部に連結される。
【００５５】
ケース３１の左右の側板部３１ｂの後部側の下縁からは、それぞれ下方へ向って軸受部３５が突設されている。この左右の軸受部３５，３５間に前記従動ピニオン３４Ａ，３４Ｂを回転可能に支持する支軸３６が架設されている。従動ピニオン３４Ａは、該支軸３６の一端側に配置され、進入スペース３２Ａの下方から該進入スペース３２Ａ内に臨んでおり、従動ピニオン３４Ｂは、該支軸３６の他端側に配置され、進入スペース３２Ｂの下方から該進入スペース３２Ｂ内に臨んでいる。
【００５６】
この実施の形態では、第１２図の通り、各従動ピニオン３４Ａ，３４Ｂは、それぞれ、連結部３１ｄの各開放口３１ｅ，３１ｆから各ノズル１１Ａ，１１Ｂが各進入スペース３２Ａ，３２Ｂ内に進入してきた場合に、各ノズル１１Ａ，１１Ｂの下面のラック１３に噛合することにより、各ノズル１１Ａ，１１Ｂの進退に従動して回転しうるように構成されている。
【００５７】
支軸３６の中間付近には、この支軸３６の回転を、該支軸３６の延在方向と略直交方向の軸心回りの回転に変換するためのフェイスギヤ３７が設けられている。このフェイスギヤ３７は、支軸３６を介して各従動ピニオン３４Ａ，３４Ｂと一体的に回転しうるように、該支軸３６に固着されている。
【００５８】
天板部３１ａの前部側には、掃除部材収容部３８が形成されている。掃除部材３３は、この掃除部材収容部３８内に収容され、上方から各進入スペース３２Ａ，３２Ｂ内に臨んでいる。即ち、掃除部材３３は、第１２図の通り、各進入スペース３２Ａ，３２Ｂに各ノズル１１Ａ，１１Ｂが進入してきたときに、その下面側が該ノズル１１Ａ，１１Ｂの上面に接触して該ノズル１１Ａ，１１Ｂの上面を掃除しうるように配置されている。この実施の形態では、該掃除部材収容部３８内に前後方向に配置位置を異ならせて２個の掃除部材３３が設置されている。
【００５９】
第１３図に示すように、各掃除部材３３は、それぞれ、左右方向に延在しており、両端が該掃除部材収容部３８の左右の側壁部に回転可能に支持された軸体３３ａと、該軸体３３ａの外周面に植設されたブラシ３３ｂとを有している。該ブラシ３３ｂは、軸体３３ａの外周面の全周にわたって植設されている。
【００６０】
各掃除部材３３の軸体３３ａの中間付近には、それぞれピニオン３３ｃが設けられている。このピニオン３３ｃは、該軸体３３ａと一体に回転しうるように該軸体３３ａに固着されている。
【００６１】
前後の掃除部材３３同士の間には、該軸体３３ａと略平行方向に延在する支軸３９が配設されている。この支軸３９も、両端が掃除部材収容部３３の左右の側壁部に回転可能に支持されている。この支軸３９の中間付近には、双方の掃除部材３３のピニオン３３ｃに噛合した連動ピニオン４０が設けられている。この実施の形態では、前後の掃除部材３３は、これらのピニオン３３ｃ及び連動ピニオン４０を介して互いに連動して同一方向に回転しうるようになっている。
【００６２】
この実施の形態では、後側の掃除部材３３の軸体３３ａには、ピニオン３３ｃに隣接して、後述のスパイラルギヤ４３が噛合した伝達ピニオン４１が設けられている。この伝達ピニオン４１も、該軸体３３ａと一体に回転しうるように該軸体３３ａに固着されている。
【００６３】
前記伝達部材は、この実施の形態では、従動ピニオン３４Ａ，３４Ｂの支軸３６に固着された前記フェイスギヤ３７と、該フェイスギヤ３７に噛合したピニオン４２と、掃除部材３３の伝達ピニオン４１に噛合したスパイラルギヤ４３と、該支軸３６と略直交方向に延在しており、これらのピニオン４２とスパイラルギヤ４３とを連結した伝達シャフト４４とを有している。該ピニオン４２、伝達シャフト４４及びスパイラルギヤ４３は、互いに同軸的に配置され、且つ一体的に回転するものとなっている。該伝達シャフト４４は、前記仕切り壁３１ｃに回転可能に保持されている。
【００６４】
この伝達部材にあっては、支軸３６の回転は、該フェイスギヤ３７及びピニオン４２によって該支軸３６と直交方向の回転に変換されて伝達シャフト４４に伝達され、次いで、この伝達シャフト４４の回転は、スパイラルギヤ４３及び伝達ピニオン４１によって該伝達シャフト４４と直交方向の回転に変換されて後側の掃除部材３３の軸体３３ａに伝達される。前述の通り、この後側の掃除部材３３の軸体３３ａの回転は、各ピニオン３３ｃ及び連動ピニオン４０を介して前側の掃除部材３３の軸体３３ａに伝達される。
【００６５】
これにより、各ノズル１１Ａ，１１Ｂの進退に従動して各従動ピニオン３４Ａ，３４Ｂが回転すると、この回転が各掃除部材３３に伝達されて各掃除部材３３が回転し、この回転する掃除部材３３のブラシ３３ｂによって各ノズル１１Ａ，１１Ｂが掃除されるようになる。
【００６６】
ただし、伝達部材の構成はこれに限定されない。
【００６７】
なお、この実施の形態では、各ノズル１１Ａ，１１Ｂが前方に移動しているときには、各掃除部材３３の回転方向が各掃除部材３３の下面側において前方となり、各ノズル１１Ａ，１１Ｂが後方へ移動しているときには、各掃除部材３３の回転方向が各掃除部材３３の下面側において後方となるように構成されている。
【００６８】
この温水洗浄装置１０はリモコン（図示略）又はタンクカバーユニット２に設けられた操作パネル（図示略）のスイッチ操作に基づいて前記制御回路によって制御される。
【００６９】
具体的には、該制御回路は、シャワー洗浄スイッチが操作されると、前記ノズル切替弁１６からの給水先をシャワー洗浄用のノズル１１Ａに切り替え、ビデ洗浄スイッチが操作されると、給水先をビデ洗浄用のノズル１１Ｂに切り替える。また、これらのスイッチ操作に伴い、該制御回路は、前記給水ポンプを作動させて給水先のノズル１１Ａ又は１１Ｂに前記温水タンクから温水を供給すると共に、モータ１５を作動させて、この給水先のノズル１１Ａ又は１１Ｂをノズルガイド１２に沿って前進させる。
【００７０】
止スイッチが操作されると、該制御回路は給水ポンプを停止させると共に、モータ１５を反転作動させ、前進していたノズル１１Ａ又は１１Ｂを後退させる。
【００７１】
以下に、この温水洗浄装置の使用方法及びノズル掃除方法について説明する。
【００７２】
平常のトイレ使用時には、ノズルガイド１２のシャッタ装着部１７にはシャッタ２０が装着されている。前記シャワー洗浄スイッチ又はビデ洗浄スイッチが操作されるまでは、シャッタプレート２１が開口５を遮蔽している。これらのスイッチが操作されると、ノズル１１（１１Ａ又は１１Ｂ）が前進し、第４，６図のように、該ノズル１１がシャッタプレート２１を押し開いて開口５から便鉢１ａ内に突出する。止スイッチが操作されてノズル１１が後退すると、シャッタプレート２１も復位して再び開口５を遮蔽するようになる。
【００７３】
ノズル掃除を行う場合には、シャッタプレート２１を開いて摘み部２３ｃを摘み、この摘み部２３ｃを引っ張って係止部２３を係合部１７ｂから引き抜き、支持体２２を開口５外へ引き出してシャッタ装着部１７からシャッタ２０を取り外す。
【００７４】
その後、ノズル掃除装置３０を該シャッタ装着部１７に装着する。
【００７５】
この場合、前述のように、ケース３１の後端側の連結部３１ｄを開口５内に差し込み、ノズルガイド１２の前端面の左右の側縁から前方に延出した係止片１７ａ，１７ａをそれぞれ該連結部３１ｄの開放口３１ｅ，３１ｆ内に入り込ませると共に、該ノズルガイド１２の前端面の下縁の係合部１７ｂに係止部２３を前方から内嵌させる。
【００７６】
これにより、係止片１７ａ，１７ａがそれぞれ開放口３１ｅ，３１ｆ内に係合し、ケース３１が上下方向及び左右方向に移動不能にノズルガイド１２の前端部に係止されると共に、係止部２３の各爪２３ｂが係合部１７ｂの各切欠部１７ｄに弾性的に係合して該係止部２３が係合部１７ｂから抜け出し不能となり、ケース３１がシャッタ装着部１７に連結される。
【００７７】
その後、前記シャワー洗浄スイッチ又はビデ洗浄スイッチを操作して各ノズル１１を前進させる。
【００７８】
各ノズル１１がノズル掃除装置３０のケース１１内の各進入スペース３２Ａ，３２Ｂに進入すると、第１２図のように各ノズル１１の下面のラック１３に従動ピニオン３４Ａ，３４Ｂが噛合し、各ノズル１１の進退に従動して従動ピニオン３４Ａ，３４Ｂが回転し、この回転が伝達部材を介して各掃除部材３３に伝達され、各掃除部材３３が回転する。これにより、この回転する掃除部材３３のブラシ３３ｂが各ノズル１１の上面に擦り付けられて各ノズル１１が掃除される。
【００７９】
この際、必要に応じ、シャワー洗浄スイッチ又はビデ洗浄スイッチと止スイッチとを交互に操作し、ノズル１１の前後進を繰り返してノズル掃除する。この実施の形態では、ノズル１１の前進時及び後退時のいずれにおいても各掃除部材３３が回転する。なお、前述の通り、ノズル１１の前進時には、各掃除部材３３の回転方向は各掃除部材３３の下面側において前方となり、ノズル１１の後退時には、各掃除部材３３の回転方向は各掃除部材３３の下面側において後方となる。
【００８０】
各ノズル１１の掃除終了後、止スイッチを操作して各ノズル１１を後退させる。その後、ノズル掃除装置３０をシャッタ装着部１７から取り外し、該シャッタ装着部１７にシャッタ２０を装着して掃除作業を完了する。
【００８１】
なお、このノズル掃除装置３０の取り外し手順は、前述のシャッタ２０の取り外し手順と同様である。即ち、ノズル掃除装置３０を取り外す場合には、前記連結部３１ｄの摘み部２３ｃを摘み、この摘み部２３ｃを引っ張って係止部２３をシャッタ装着部１７の係合部１７ｂから引き抜き、ケース３１の後端側を開口５外へ引き出す。
【００８２】
また、シャッタ２０の装着手順は、前述の取り外し手順と逆である。即ち、シャッタプレート２１を開き、摘み部２３ｃを摘んで支持体２２を保持し、該支持体２２を開口５内に差し込み、係止片１７ａ，１７ａをそれぞれ該支持体２２のノズル通過孔２４Ａ，２４Ｂ内に係合させると共に、該支持体２２の係止部２３を係合部１７ｂに係合させる。
【００８３】
以上の通り、この温水洗浄装置１０にあっては、ノズル洗浄装置３０をシャッタ装着部１７に取り付け、この状態でノズルを進退させることにより、掃除部材３３のブラシ３３ｂによって各ノズル１１が擦られてノズル掃除が行われる。このようにノズル掃除装置３０をシャッタ装着部１７に取り付けることは手作業であるが、その後はノズル１１を進退させることによりノズル１１が掃除されるので、ノズル掃除が容易となる。
【００８４】
この実施の形態では、ノズル１１の進退に従動して回転する従動回転体として、ノズル１１のラック１３に噛合する従動ピニオン３４Ａ，３４Ｂを採用しているので、ノズル１１の進退のストロークによって確実に従動ピニオン３４Ａ，３４Ｂを回転させることができる。
【００８５】
この実施の形態では、掃除部材３３をノズル１１の上側に配置しているので、汚れの付き易いノズル１１の上面側を十分に掃除することができる。
【００８６】
また、この実施の形態では、掃除部材３３のブラシ３３ｂをノズル１１の長手方向に擦り付けるようにして回転させているので、ノズル１１の上面の汚れを十分に除去することができる。
【００８７】
しかも、この実施の形態では、２個の掃除部材３３を前後に配置位置を異ならせて並列設置しているので、ノズル１１の上面を十分に掃除することができる。
【００８８】
第１４図は別の実施の形態に係る温水洗浄ノズルの掃除装置の縦断面図である。
【００８９】
この実施の形態では、フェイスギヤ３７に噛合したピニオン４２と掃除部材３３の伝達ピニオン４１に噛合したスパイラルギヤ４３とを連結するシャフト４４として、一端が該ピニオン４２に連なる第１シャフト４４ａと、一端がスパイラルギヤ４３に連なる第２シャフト４４ａとによって構成すると共に、これらのシャフト４４ａ，４４ｂの他端同士をワンウェークラッチ機構４５によって連結した構成となっている。
【００９０】
この実施の形態では、該ワンウェークラッチ機構４５は、各掃除部材３３の回転方向が該掃除部材３３の下面側においてノズル１１の前方となる回転のみを該第１シャフト４４ａから第２シャフト４４ｂに伝達するように構成されている。
【００９１】
即ち、この実施の形態では、各掃除部材３３は、該掃除部材３３の下面側においてノズル１１の前方となる方向にのみ回転しうるものとなっている。
【００９２】
この実施の形態のその他の構成は、前述の第１〜１３図の実施の形態と同様であり、第１４図において第１〜１３図と同一符号は同一部分を示している。
【００９３】
このように、各掃除部材３３の回転方向が該掃除部材３３の下面側においてノズル１１の前方となるように構成することにより、ノズル１１に各掃除部材３３のブラシ３３ｂを擦り付けて掃除するときに、ブラシ３３ｂから水が前方に飛び散るようになり、この水がタンクカバーユニット２に掛かることが防止される。
【００９４】
上記の各実施の形態はいずれも本発明の一例を示すものであり、本発明は上記の各実施の形態に限定されるものではない。
【００９５】
例えば、上記の各実施の形態では、従動回転体として各ノズル１１Ａ，１１Ｂの下面のラック１３に噛合するピニオン３４Ａ，３４Ｂを用いているが、従動回転体の構成はこれに限定されない。この従動回転体としては、例えば、ノズル１１Ａ，１１Ｂの外面に接触し、該ノズル１１Ａ，１１Ｂの進退に従動して該ノズル１１Ａ，１１Ｂの外面を転動するゴムローラ等が用いられてもよい。
【００９６】
上記の各実施の形態では、掃除部材３３は前後に配置位置を異ならせて２個並列に設けられているが、１個のみ又は３個以上設置されてもよい。また、上記の各実施の形態ではノズル１１の上面側にのみ掃除部材３３が設けられているが、ノズル１１の側面又は下面側にも掃除部材が設けられてもよい。
【００９７】
上記の各実施の形態では、掃除部材３３はブラシ３３ｂでノズルを掃除するように構成されているが、本発明においては、掃除部材は、ブラシ以外の掃除手段、例えばスポンジなどでノズルを掃除するように構成されてもよい。
【００９８】
上記の第１〜１３図の実施の形態では、ノズル１１が前方に移動しているときには、掃除部材３３の回転方向が掃除部材３３の下面側において前方となり、ノズル１１が後方へ移動しているときには、掃除部材３３の回転方向が掃除部材３３の下面側において後方となるように構成されているが、掃除部材３３の回転方向はこれと逆であってもよい。
【００９９】
即ち、ノズル１１が前方に移動しているときには、掃除部材３３の回転方向が掃除部材３３の下面側において後方となり、ノズル１１が後方へ移動しているときには、掃除部材３３の回転方向が掃除部材３３の下面側において前方となるように構成されてもよい。このように構成することにより、掃除部材３３がノズル１１に対し該ノズル１１の移動方向と反対方向に擦り付けられるので、該掃除部材３３とノズル１１との間の摩擦抵抗が大きくなり、汚れを落とし易い。
【０１００】
また、上記の第１４図の実施の形態では、ワンウェークラッチ機構４５は、掃除部材３３の回転方向が該掃除部材３３の下面側においてノズル１１の前方となる回転のみを該掃除部材３３に伝達するように構成されているが、掃除部材３３の回転方向が該掃除部材３３の下面側においてノズル１１の後方となる回転のみを該掃除部材３３に伝達するように構成されてもよい。この場合にも、ノズル１１が前方に移動しているときに掃除部材３３の回転方向を掃除部材３３の下面側において後方とすることができ、汚れを落とし易い。
【０１０１】
上記の実施の形態では、洋風便器１の後部上面に、ケーシングとしてタンクカバーユニット２（ロータンクカバー）が設置されているが、このタンクカバーユニット２の代わりに、便座ボックス（図示略）が設置されてもよい。
【図面の簡単な説明】
【０１０２】
【図１】実施の形態に係る温水洗浄装置を備えた洋風便器の斜視図である。
【図２】図１の温水洗浄装置の斜視図である。
【図３】図１の温水洗浄装置の側面図である。
【図４】図１の温水洗浄装置のノズル突出時の側面図である。
【図５】図１の温水洗浄装置のノズルの側面図である。
【図６】図１の温水洗浄装置のシャッタ付近の斜視図である。
【図７】図１の温水洗浄装置のシャッタを取り外した状態を示す斜視図である。
【図８】図１の温水洗浄装置のシャッタ装着前後のシャッタ装着部付近の下面図である。
【図９】図１の温水洗浄装置と温水洗浄ノズル掃除装置との分解斜視図である。
【図１０】図９の掃除装置の温水洗浄装置への装着時の斜視図である。
【図１１】図９の掃除装置とシャッタ装着部との下面図である。
【図１２】図１１のXII−XII線に沿う断面図である。
【図１３】図１２のXIII−XIII線に沿う断面図である。
【図１４】別の実施の形態に係る温水洗浄ノズル掃除装置の縦断面図である。
【符号の説明】
【０１０３】
１  洋風便器
２  タンクカバーユニット
３  便座
４  便蓋
５  開口
１０  温水洗浄装置
１１Ａ，１１Ｂ  ノズル
１２  ノズルガイド
１７  シャッタ装着部
２０  シャッタ
２３  係止部
３０  ノズル掃除装置
３１  ケース
３１ｄ  連結部
３２Ａ，３２Ｂ  進入スペース
３３  掃除部材
３４Ａ，３４Ｂ  従動ピニオン
３７  フェイスギヤ
４２  ピニオン
４３  スパイラルギヤ
４４，４４ａ，４４ｂ  シャフト
４５  ワンウェークラッチ機構
【図１】
2009161936.tif 000003
【図２】
2009161936.tif 000004
【図３】
2009161936.tif 000005
【図４】
2009161936.tif 000006
【図５】
2009161936.tif 000007
【図６】
2009161936.tif 000008
【図７】
2009161936.tif 000009
【図８】
2009161936.tif 000010
【図９】
2009161936.tif 000011
【図１０】
2009161936.tif 000012
【図１１】
2009161936.tif 000013
【図１２】
2009161936.tif 000014
【図１３】
2009161936.tif 000015
【図１４】
2009161936.tif 000016